(57)【要約】【課題】壁面や床面等に加工を施さなくとも安定した状態で容易に設置できるとともに、内部の空間を有効に活用できるボルダリングユニットを提供する。【解決手段】ボルダリングユニット１ａは、直方体状をなし、矩形状の複数枚の木製パネルが金属製のフレーム２にネジ止めされた筐体３と、木製パネルからなる一対の扉４，４を備え、筐体３の前面に設けられた開口部３ａの両側端部に、扉４の端部４ａが蝶番６を介してそれぞれ枢着されるとともに、ボルダリングをする際に掴み手となるホールド５が筐体３と扉４の外面に取り付けられている。【選択図】図１
2019187813.tif 000002
【特許請求の範囲】
【請求項１】
開口部を有する筐体と、
この筐体に前記開口部を閉塞可能に蝶着された扉と、
この扉の内側に設置されてその開閉を抑止するロック機構と、
前記筐体及び前記扉の少なくともいずれか一方の外面に取り付けられた複数のホールドと、
を備えていることを特徴とするボルダリングユニット。
【請求項２】
前記筐体は、ホールド固定用ボルトが挿通されるボルト挿通孔が複数設けられるとともに、このボルト挿通孔に対して互いの中心軸が一致するようにホールド固定用ナットが内面に設置されていることを特徴とする請求項１に記載のボルダリングユニット。
【請求項３】
前記扉の開放側の端部近傍に設けられた軸挿通孔に対して回動自在に挿設されたハンドル軸と、
前記扉の外側に設置され前記ハンドル軸の一端に基端側が連結されたレバーハンドルと、を備え、
前記ロック機構は、
前記ハンドル軸の他端に基端側が連結されるとともに、回動した際に前記筐体と係合するように前記扉の内側に設置された爪板と、からなり、
前記扉は、前記爪板が前記筐体と係合することによって開閉が抑止されることを特徴とする請求項１又は請求項２に記載のボルダリングユニット。
【請求項４】
前記扉の開放側の端部近傍に設けられた軸挿通孔に対して回動自在に挿設されたハンドル軸と、
前記扉の外側に設置され前記ハンドル軸の一端に基端側が連結されたレバーハンドルと、を備え、
前記ロック機構は、
前記扉の内側に設置され前記ハンドル軸の他端に中央部分が連結されたクランクアームと、
このクランクアームの両端に基端側がそれぞれ枢着されるとともに、互いに離れる方向へ移動した際に先端が前記筐体と係合するように前記扉の内側に設置された一対のロッドと、
前記扉の内面に対し、上端と下端の近傍にそれぞれ設置されて一対の前記ロッドを上下方向へスライド可能にそれぞれ支持する一対の支持金具と、からなり、
一対の前記ロッドは、前記クランクアームの回動に伴って互いに離れる方向又は互いに近づく方向へ移動し、
前記扉は、一対の前記ロッドが前記筐体に対して同時に係合することによって開閉が抑止されることを特徴とする請求項１又は請求項２に記載のボルダリングユニット。
【請求項５】
前記レバーハンドルは、前記ハンドル軸に対して着脱可能に取り付けられていることを特徴とする請求項３又は請求項４に記載のボルダリングユニット。
【請求項６】
外周面に雄ネジが形成された円柱状の支持部と、
この支持部が立設される板状の台座部と、からなり、
ボルトの締緩に用いられる工具の先端に係合可能な「＋」型又は「−」型の凹溝が前記支持部の上端に設けられた高さ調整具を備え、
前記筐体は、前記高さ調整具が螺入されるネジ孔が底面に設けられていることを特徴とする請求項１乃至請求項５のいずれか１項に記載のボルダリングユニット。
【請求項７】
前記筐体は、金属製のフレームと、このフレームに固定された複数枚の木製パネルと、からなり、
前記扉は、前記木製パネルからなることを特徴とする請求項１乃至請求項６のいずれか１項に記載のボルダリングユニット。
【発明の詳細な説明】
【技術分野】
【０００１】
本発明は、保育所などの屋内施設においてボルダリングを行う場合に用いられるボルダリングユニットに係り、特に、壁面や床面等に加工を施さなくとも安定した状態で容易に設置することが可能なボルダリングユニットに関する。
【背景技術】
【０００２】
ボルダリングは、安全確保のための最小限の用具のみを用いて岩壁を登攀するフリークライミングと呼ばれるスポーツの一種である。ロープを用いずに５ｍ以下の高さの壁を自分の手と足だけを使って登攀するボルダリングは、特殊な用具を必要としないことから、誰でも比較的手軽に行うことが可能である。最近では、室内でもボルダリングを楽しむことができるように、自然の岩壁を模したボルダリングウォールと呼ばれる人工壁が設置された施設も作られている。
【０００３】
屋内でボルダリングを行う設備には様々なものがあり、それらについて、幾つかの発明や考案が開示されている。
例えば、特許文献１には、「運動用パネルの取付構造及び運動装置」という名称で、表面にホールドが取り付けられた運動用パネルを屋内又は屋外の壁面に固定する技術に関する発明が開示されている。
この発明に係る「運動装置」は、下側に開口する溝部を有するとともに壁面に固定される上レールと、その溝部に上端側が送り込まれるパネル本体と、このパネル本体の表面側に配置されるホールドと、を有する運動パネルを備えている。そして、パネル本体は、ポリエステル化粧合板からなる裏面層と、ポリウレタン製の発泡フォームからなる中間層と、ベニヤ板層と、スチール鋼板からなる表面層を有している。
このような構造によれば、壁面に対する運動用パネルの取り付けやその取り外しが容易である。また、運動用パネルを使用している時でも、その壁面に対する取り付け状態が安定して維持されるという効果が発揮される。
【０００４】
また、特許文献２には、「ボルダリングウォール」という名称で、屋内施設の壁にストッパーとアジャスターを用いて固定される構造を備えた考案が開示されている。
この考案は、ホルダーを固定するためのボルト穴が表面に多数穿孔された硬質樹脂製の外部壁材が発泡合成樹脂製の内部壁材の表面全体に接着されて一体化された構造ベニヤ板からなるパネルが任意の方向に湾曲した曲面を有し、その表面に複数のホールドが設置されたことを特徴としている。
このような構造によれば、既存の住宅や施設に設置することが可能である。また、設置作業や撤去作業を容易に行うことができるという効果も期待できる。
【０００５】
さらに、特許文献３には、「組み立て式ロッククライミング装置」という名称で、壁や支持フレームなどの既設の構造物を用いずに設置できるロッククライミング用の装置に関する考案が開示されている。
この考案は、少なくとも一つの表面と、この表面に連接する少なくとも一つの接続面を有し、この表面に把持部が取り付けられた複数の組み立てブロックを備え、この組み立てブロックが接続面同士を組み合わせるようにして構成されたことを特徴とする。
このような構造によれば、壁や支持フレーム等の既設の構造物を必要としないため、設置場所に対する制限がない。そして、本考案は、結合や分離が容易なため、広い保管スペースを必要とせず、また、運搬も容易である。
【先行技術文献】
【特許文献】
【０００６】
【特許文献１】特開２０１６−８７１９３号公報
【特許文献２】実用新案登録第３２１２０９２号公報
【特許文献３】実用新案登録第３１５７５１３号公報
【発明の概要】
【発明が解決しようとする課題】
【０００７】
上述の従来技術である特許文献１に開示された発明や特許文献２に開示された考案では、運動用パネルやボルダリングウォールを壁面に取り付ける際に、壁面の一部を加工しなければならないため、取り付けた後にそれらの位置を変更することが容易でないという課題があった。
【０００８】
また、特許文献３に開示された考案は、自立する構造であるため、屋内施設に設置する場合でも壁面等に特別な加工を施す必要はないものの、特許文献１に開示された発明や特許文献２に開示された考案に比べて、広い設置スペースを必要とする。さらに、組み立てブロックは内部の空間を利用できる構造となっていないため、特許文献３に開示された考案には、一般の保育所などのように、あまり広くない屋内施設には設置できないという課題があった。
【０００９】
本発明は、このような従来の事情に対処してなされたものであり、壁面や床面等に加工を施さなくとも安定した状態で容易に設置できるとともに、内部の空間を有効に活用できるボルダリングユニットを提供することを目的とする。
【課題を解決するための手段】
【００１０】
上記目的を達成するため、第１の発明であるボルダリングユニットは、開口部を有する筐体と、この筐体に開口部を閉塞可能に蝶着された扉と、この扉の内側に設置されてその開閉を抑止するロック機構と、筐体及び扉の少なくともいずれか一方の外面に取り付けられた複数のホールドと、を備えていることを特徴とするものである。
このような構造のボルダリングユニットにおいては、筐体や扉がボルダリングウォールとして機能するとともに、開口部が筐体内への出入り口又は荷物の出し入れ口として機能する。また、開口部から筐体内への人の出入りや荷物の出し入れが扉によって制限されるという作用を有する。さらに、ボルダリング中に不用意に開くことがないように扉が筐体に対してロック機構によって確実に固定されるという作用を有する。
【００１１】
第２の発明は、第１の発明において、筐体は、ホールド固定用ボルトが挿通されるボルト挿通孔が複数設けられるとともに、このボルト挿通孔に対して互いの中心軸が一致するようにホールド固定用ナットが内面に設置されていることを特徴とするものである。
このような構造のボルダリングユニットにおいては、第１の発明の作用に加え、ホールド固定用ナットが外面に突出していないため、ホールドが取り付けられていない箇所についても美観が損なわれず、しかも、ボルダリングを行う際にホールド固定用ナットが邪魔にならないという作用を有する。
【００１２】
第３の発明は、第１の発明又は第２の発明において、扉の開放側の端部近傍に設けられた軸挿通孔に対して回動自在に挿設されたハンドル軸と、扉の外側に設置されハンドル軸の一端に基端側が連結されたレバーハンドルと、を備え、ロック機構は、ハンドル軸の他端に基端側が連結されるとともに、回動した際に筐体と係合するように扉の内側に設置された爪板と、からなり、扉は、爪板が筐体と係合することによって開閉が抑止されることを特徴とするものである。
このような構造のボルダリングユニットにおいては、第１の発明又は第２の発明の作用に加え、レバーハンドルを回動させるという簡単な操作によって、扉が施錠され、又は開錠されるという作用を有する。
【００１３】
第４の発明は、第１の発明又は第２の発明において、扉の開放側の端部近傍に設けられた軸挿通孔に対して回動自在に挿設されたハンドル軸と、扉の外側に設置されハンドル軸の一端に基端側が連結されたレバーハンドルと、を備え、ロック機構は、扉の内側に設置されハンドル軸の他端に中央部分が連結されたクランクアームと、このクランクアームの両端に基端側がそれぞれ枢着されるとともに、互いに離れる方向へ移動した際に先端が筐体と係合するように扉の内側に設置された一対のロッドと、扉の内面に対し、上端と下端の近傍にそれぞれ設置されて一対のロッドを上下方向へスライド可能にそれぞれ支持する一対の支持金具と、からなり、一対のロッドは、クランクアームの回動に伴って互いに離れる方向又は互いに近づく方向へ移動し、扉は、一対のロッドが筐体に対して同時に係合することによって開閉が抑止されることを特徴とするものである。
このような構造のボルダリングユニットでは、第１の発明又は第２の発明の作用に加え、レバーハンドルを回動して扉を施錠した場合に、ロック機構を介して扉の開放側の端部の上端と下端が筐体に対して同時に固定されることで、扉の開放側の端部の曲げに対する剛性が高められるという作用を有する。
【００１４】
第５の発明は、第３の発明又は第４の発明において、レバーハンドルは、ハンドル軸に対して着脱可能に取り付けられていることを特徴とするものである。
このような構造のボルダリングユニットにおいては、第３の発明又は第４の発明の作用に加えて、扉の開閉操作を行う必要がないときには、レバーハンドルを取り外すことができるため、美観を損なうおそれがなく、また、レバーハンドルがボルダリングの邪魔にならないという作用を有する。
【００１５】
第６の発明は、第１の発明乃至第５の発明のいずれかにおいて、外周面に雄ネジが形成された円柱状の支持部と、この支持部が立設される板状の台座部と、からなり、ボルトの締緩に用いられる工具の先端に係合可能な「＋」型又は「−」型の凹溝が支持部の上端に設けられた高さ調整具を備え、筐体は、高さ調整具が螺入されるネジ孔が底面に設けられていることを特徴とするものである。
このような構造のボルダリングユニットにおいては、第１の発明乃至第５の発明のいずれかの作用に加え、筐体の底面に設けられたネジ孔に螺入された高さ調整具を回動させると、高さ調整具が取り付けられている箇所の高さが変化するという作用を有する。
【００１６】
第７の発明は、第１の発明乃至第６の発明のいずれかにおいて、筐体は、金属製のフレームと、このフレームに固定された複数枚の木製パネルと、からなり、扉は、木製パネルからなることを特徴とするものである。
このような構造のボルダリングユニットにおいては、第１の発明乃至第６の発明のいずれかの作用に加え、材料費が安く、組み立てや分解も容易であるという作用を有する。
【発明の効果】
【００１７】
以上説明したように、第１の発明によれば、設置や撤去の際に、扉を開けると、作業者が開口部から筐体の中に入ることができるため、筐体の組み立てや分解等の作業を効率よく行うことができる。また、本発明では、従来、利用価値のなかった筐体内の空間を収納庫として利用できるため、収納庫の設置スペースを別個に設ける必要がない。したがって、本発明のボルダリングユニットは、一般の保育所などのように、あまり広くない屋内施設に対しても設置することが可能である。
さらに、本発明のボルダリングユニットは、ボルダリング中に扉が不用意に開いてしまうおそれがないため、安全性に優れている。加えて、本発明のボルダリングユニットは、筐体の接地面積が広く、自立可能な構造であるため、安定した状態で設置することが可能となっている。このように、本発明によれば、屋内施設に設置する際に、ボルダリングユニットを固定するための加工を壁面や床面等に施す必要がないため、設置後に、その配置を容易に変更することができる。したがって、本発明のボルダリングユニットは、イベント等で一時的にボルダリングウォールを構築する必要がある場合などに特に有効である。
【００１８】
第２の発明によれば、第１の発明の効果を奏することに加え、筐体や扉に対して、外側からホールドを簡単に取り付けることが可能である。また、本発明によれば、ホールド固定用ナットがボルダリングの支障とならないため、安全にボルダリングを楽しむことができる。
【００１９】
第３の発明によれば、第１の発明又は第２の発明の効果に加え、ボルダリング時の安全性に優れるという効果を奏する。
【００２０】
第４の発明によれば、第１の発明又は第２の発明の効果に加え、ボルダリング中に力が加わっても扉が変形したり、勝手に開錠されて開いたりし難いため、ボルダリングを安全に楽しむことができるという効果を奏する。
【００２１】
第５の発明では、第３の発明又は第４の発明の効果を奏することに加え、レバーハンドルを取り外すことで、ボルダリング中に体の一部がレバーハンドルに接触して誤って扉が開いてしまうという事態を防止することが可能である。したがって、本発明によれば、ボルダリング時の安全性に優れるという第３の発明又は第４の発明の効果がより一層発揮される。
【００２２】
第６の発明によれば、プラスドライバーやマイナスドライバーなどの工具を上端の凹溝に係合させることで、筐体の底面のネジ孔に螺入された状態の高さ調整具に対しても、上方からその回動操作を行うことができるため、第１の発明乃至第５の発明のいずれかの効果に加え、筐体の姿勢を調整する等の作業が容易であるという効果を奏する。
【００２３】
第７の発明によれば、第１の発明乃至第６の発明のいずれかの効果に加え、製造する際のコストだけでなく、設置や撤去などの作業に要するコストを削減できるという効果を奏する。
【図面の簡単な説明】
【００２４】
【図１】（ａ）及び（ｂ）は本発明の実施の形態に係るボルダリングユニットの実施例の外観斜視図である。
【図２】図１（ｂ）に示したロック機構の拡大図である。
【図３】図１（ａ）に示したボルダリングユニットの内部構造を示す図である。
【図４】（ａ）は図１（ｂ）及び図３に示したフレームの正面図であり、（ｂ）は同図（ａ）におけるＢ部の拡大図である。
【図５】（ａ）及び（ｂ）はそれぞれ図４（ａ）におけるＣ−Ｃ線矢視断面図及びＤ−Ｄ線矢視断面図である。
【図６】（ａ）は図３におけるＡ部の拡大図であり、（ｂ）は図１（ｂ）及び図３乃至図５に示した高さ調整具の拡大図である。
【図７】（ａ）はホールドが取り付けられた状態を示す筐体の前板や側板又は扉の断面図であり、（ｂ）は２つのボルダリングユニットの側板同士がパネル連結用ボルトによって連結された状態を示す断面図である。
【図８】（ａ）及び（ｂ）は図１に示したボルダリングユニットの変形例を示した外観斜視図である。
【図９】本発明のボルダリングユニットが使用される状態を示した斜視図である。
【発明を実施するための形態】
【００２５】
本発明のボルダリングユニットの構造と、その作用及び効果について、図１乃至図９を用いて説明する。なお、これらの図において、ホールドとボルト挿通孔とホールド固定用ナット等については、図が煩雑になるのを避けるため、代表的なものについてのみ符号を付し、それ以外のものについては符号の図示を省略している。
【実施例】
【００２６】
図１（ａ）及び図１（ｂ）は本発明のボルダリングユニットの外観の一例を示した図であり、図２は図１（ｂ）に示したロック機構の拡大図である。また、図３は図１（ａ）に示したボルダリングユニットの内部構造を説明するための図であり、図１（ａ）に示したボルダリングユニットにおいてフレームからパネルを取り外した状態を表している。
なお、図１（ｂ）は図１（ａ）において一方の扉を開くとともに、レバーハンドルを扉に取り付けた状態を表している。また、図１（ｂ）及び図３では、ホールドの図示を省略している。また、図１及び図３では、図が煩雑になるのを避けるため、ホールド５とボルト挿通孔７ａ，７ｂとホールド固定用ナット７ｃについて、その一部にのみ符号を付している。
【００２７】
図４（ａ）は図１（ｂ）及び図３に示したフレームの正面図であり、図４（ｂ）は図４（ａ）におけるＢ部の拡大図である。なお、図４（ａ）及び図４（ｂ）ではロック機構９の爪板１４やハンドル軸８ａを破線で示している。
また、図５（ａ）及び図５（ｂ）はそれぞれ図４（ａ）におけるＣ−Ｃ線矢視断面図及びＤ−Ｄ線矢視断面図である。図６（ａ）は図３におけるＡ部の拡大図であり、図６（ｂ）は図１（ｂ）及び図３乃至図５に示した高さ調整具の拡大図である。図７（ａ）はホールド５が取り付けられた筐体３の前板２０ａや側板２０ｃ又は扉４の内部構造を示す断面図であり、図７（ｂ）は２つのボルダリングユニット１ａ，１ａの側板２０ｃ，２０ｃ同士がパネル連結用ボルト２１ｂによって連結された状態を示す断面図であり、いずれもそれらのパネルに直交する鉛直平面で切断した状態を表している。
【００２８】
図１（ａ）及び図１（ｂ）に示すように、ボルダリングユニット１ａは、直方体状をなす金属製のフレーム２に矩形状の複数枚の木製パネルがネジ止めされるようにして形成される筐体３と、同じく矩形状の木製パネルによって形成される一対の扉４，４と、ボルダリングをする際に掴み手となるホールド５を備えている。
このように、ボルダリングユニット１ａは、ホールド５を掴んだり、足を掛けたりすることにより、筐体３や扉４の外面をよじ登ることが可能な構造となっている。すなわち、ボルダリングユニット１ａでは、筐体３や扉４がボルダリングウォールとして機能する。そして、ボルダリングユニット１ａは、筐体３の接地面積が広く、自立可能な構造であることから、壁面や床面に筐体３を固定するための加工を施すことなく、安定した状態で屋内施設等に設置できるという効果を有している。
また、ボルダリングユニット１ａでは、筐体３が金属製のフレーム２と木製パネルによって構成され、扉４も木製パネルによって構成されていることから、材料費が安く、組み立てや分解も容易である。したがって、ボルダリングユニット１ａは、安価に製造できるだけでなく、設置や撤去の際の作業コストを削減できるという効果も有している。
【００２９】
また、ボルダリングユニット１ａの筐体３の前面には開口部３ａが設けられており、この開口部３ａの両側端部に蝶番６を介して一対の扉４，４の端部４ａがそれぞれ枢着されている。さらに、筐体３と扉４を構成する木製パネルには、ホールド５を取り付けるために図７（ａ）を用いて後述するホールド固定用ボルト２１ａのボルト挿通孔７ａが設けられており、筐体３の一部の木製パネルには、図７（ｂ）を用いて後述するパネル連結用ボルト２１ｂのボルト挿通孔７ｂが設けられている。
なお、ボルト挿通孔７ａは、必ずしも筐体３と扉４の双方に設けられていなくとも良い。すなわち、筐体３と扉４の少なくともいずれか一方にのみボルト挿通孔７ａが設けられていても良い。
そして、それらの木製パネルの内面には、ホールド固定用ナット７ｃがボルト挿通孔７ａに対して互いの中心軸が一致するように固設されている。さらに、一対の扉４，４には、内面にロック機構９がそれぞれ設置されるとともに、そのロック機構９を操作するためのレバーハンドル８，８が外面にそれぞれ着脱可能に取り付けられている。
【００３０】
このような構造のボルダリングユニット１ａにおいては、開口部３ａが筐体３の内部への出入り口又は荷物の出し入れ口としての機能を有する。
すなわち、ボルダリングユニット１ａでは、設置や撤去の際に、作業者が開口部３ａから筐体３の中に入って筐体３の組み立てや分解等の作業を行うことができるため、作業効率が良い。
また、ボルダリングユニット１ａでは、筐体３が荷物の収納庫を兼ねるため、収納庫の設置スペースを節約することができる。
したがって、ボルダリングユニット１ａは、一般の保育所などのように、あまり広くない屋内施設に対しても設置することが可能である。
【００３１】
さらに、ボルダリングユニット１ａにおいては、開口部３ａから筐体３の内部への人の出入りや荷物の出し入れが扉４によって制限されており、扉４はロック機構９によって筐体３に対して確実に固定されている。すなわち、ボルダリングユニット１ａは、ボルダリング中に扉が不用意に開いてしまうおそれがないため、安全性に優れている。
また、扉４に対してレバーハンドル８が着脱可能に取り付けられていることから、扉４の開閉操作を行う必要がないときには、レバーハンドル８を取り外すことで、ボルダリングの邪魔にならず、しかも、ボルダリング中に体の一部がレバーハンドル８に接触して誤って扉４が開いてしまうという事態も防ぐことができる。また、ボルダリングをしていないときでも、レバーハンドル８を取り外しておけば、美観を損なうおそれがない。
【００３２】
図２に示すように、ロック機構９は、扉４の内面に対し、開放側の端部４ｂ（図１（ｂ）参照）の上端と下端の近傍にそれぞれ設置される支持金具１０，１０（図１（ｂ）参照）と、先端に直方体状のラッチ１２，１２がそれぞれ取り付けられるとともに支持金具１０，１０によって上下方向へスライド可能に支持される一対のロッド１１，１１と、ケース１３の内部に設置されたクランクアーム（図示せず）と、側面に設けられた開口部１３ａから先端１４ａを突出させた状態で基端側がケース１３の内部に設置される爪板１４によって構成されている。
また、クランクアームと爪板１４は、ハンドル８を回動した際に、それと連動して回動するように、扉４の開放側の端部４ｂに設けられた軸挿通孔（図示せず）に対して回動自在に挿設されたレバーハンドル８の回動軸（図４（ａ）又は図４（ｂ）を用いて後述するハンドル軸８ａ）に連結されており、ロッド１１，１１は、クランクアームの回動に伴って互いに離れる方向又は互いに近づく方向へ移動可能に、基端がクランクアームの両端にそれぞれ枢着されている。
【００３３】
図３乃至図５に示すように、フレーム２は、縦枠材１５ａ，１５ｂと横枠材１６ａ，１６ｂによってそれぞれ「ロ」字状をなすように形成され、所定の間隔をあけて平行に配置される一対の側枠部２ａ，２ａと、縦枠材１５ａ，１５ａの上端同士及び下端同士をそれぞれ連結する横桟１７ａ，１７ｂと、縦枠材１５ｂ，１５ｂの上端同士及び下端同士をそれぞれ連結する横桟１７ｃ，１７ｄと、縦枠材１５ａ，１５ａを連結して筐体３の開口部３ａの下縁を形成する横桟１７ｅと、横桟１７ａ，１７ｅの中央部同士及び横桟１７ｂ，１７ｅの中央部同士をそれぞれ連結する縦桟１８ａ，１８ｂと、横桟１７ｃ，１７ｄの中央部同士を連結する縦桟１８ｃと、側枠部２ａ，２ａにおいて縦枠材１５ａ，１５ｂの中央部同士をそれぞれ連結する横桟１７ｆ，１７ｆによって構成されている。
また、横桟１７ｂ，１７ｄの両端近傍に設けられたネジ孔（図示せず）に高さ調整具１９，１９がそれぞれ設置されている。
【００３４】
横桟１７ａの下面と横桟１７ｅの上面には、図６（ａ）を用いて後述するラッチ１２の受け具２２ａを取り付けるための凹部１７ｇ（図３及び図５（ｂ）参照）が縦桟１８ｂの近傍にそれぞれ設けられている。また、縦桟１８ａの両側面には、爪板１４の先端１４ａが係合する受け具２２ｂを取り付けるための凹部１８ｄ（図３及び図５（ａ）参照）がそれぞれ設けられている。
【００３５】
筐体３の木製パネルは、フレーム２の前面に対し、開口部３ａの下方に取り付けられる前板２０ａと、フレーム２の背面に取り付けられる背板２０ｂと、フレーム２の側面に取り付けられる一対の側板２０ｃ，２０ｃと、フレーム２の天面に取り付けられる天板２０ｄからなる。
そして、前板２０ａと側板２０ｃ，２０ｃと扉４，４には、後述するホールド固定用ボルト２１ａ（図７（ａ）参照）のボルト挿通孔７ａが複数個所に穿設されるとともに、それらの内面には、各ボルト挿通孔７ａに対してそれぞれ挿通されたホールド固定用ボルト２１ａを挿通可能な箇所にホールド固定用ナット７ｃが設置されている。また、側板２０ｃ，２０ｃの４隅には、後述するパネル連結用ボルト２１ｂ（図７（ｂ）参照）のボルト挿通孔７ｂがそれぞれ設けられている。
【００３６】
図６（ａ）に示すように、横桟１７ｅの凹部１７ｇ，１７ｇ（図３及び図５（ｂ）参照）には、ラッチ１２の受け具２２ａ，２２ａが設置されており、縦桟１８ａの凹部１８ｄ（図３及び図５（ａ）参照）には、爪板１４の先端１４ａが係合する受け具２２ｂが設置されている。なお、図６（ａ）には示していないが、受け具２２ａ，２２ａは横桟１７ａの下面に設けられた凹部１７ｇ，１７ｇにも設置されている。また、受け具２２ｂは、縦桟１８ｂに対し、図６（ａ）に示されていない側に設けられている凹部１８ｄにも設置されている。
【００３７】
このような構造のボルダリングユニット１ａにおいては、レバーハンドル８を回動させると、それに連動して爪板１４とクランクアームが回動する。そして、爪板１４の回動に伴って先端１４ａが縦桟１８ａに設置された受け具２２ｂに係合すると、扉４が開閉不能となる。一方、爪板１４が逆方向に回動することで先端１４ａと受け具２２ｂの係合状態が解消されると、扉４が開閉可能となる。
また、クランクアームの回動に伴ってロッド１１，１１が互いに離れる方向へ移動し、それらの先端に取り付けられたラッチ１２，１２が横桟１７ａ，１７ｅにそれぞれ設置された受け具２２ａ，２２ａに対して係合すると、扉４が開閉不能となる。一方、ロッド１１，１１が互いに近づく方向へ移動することでラッチ１２，１２と受け具２２ａ，２２ａの係合状態が解消されると、扉４が開閉可能となる。
ただし、ロック機構９は、爪板１４の先端１４ａが受け具２２ｂに係合する際に、ラッチ１２，１２も受け具２２ａ，２２ａに対して同時に係合し、爪板１４の先端１４ａと受け具２２ｂの係合状態が解消される際に、ラッチ１２，１２と受け具２２ａ，２２ａの係合状態も同時に解消される構造となっている。
【００３８】
すなわち、ロック機構９が爪板１４とラッチ１２という２つの手段によって扉４を筐体３に対して同時に固定するように構成されていることから、ボルダリングユニット１ａによれば、レバーハンドル８を回動させるという簡単な操作によって、扉４を確実に施錠することができる。したがって、ボルダリングユニット１ａは、ボルダリング時の安全性に優れている。
また、扉４が施錠されている時には、扉４の開放側の端部４ｂの近傍の上端と下端がラッチ１２，１２と受け具２２ａ，２２ａを介して横桟１７ａ，１７ｅに対して同時に固定されており、扉４の端部４ｂの曲げに対する剛性が高い状態となっている。この場合、ボルダリング中に扉４に力が加わったとしても、それによって扉４が変形したり、勝手に開錠されて扉４が開いたりするおそれがない。したがって、ボルダリングユニット１ａでは、ボルダリングを安全に楽しむことができる。
【００３９】
図６（ｂ）に示すように、高さ調整具１９は、雄ネジ１９ｃが外周面に形成された円柱状の支持部１９ａと、この支持部１９ａが立設された円板状の台座部１９ｂからなり、支持部１９ａの上端には、プラスドライバーの先端に係合可能な「＋」型の凹溝１９ｄが形成されている。ただし、高さ調整具１９の雄ネジ１９ｃは、前述の横桟１７ｂ，１７ｄのネジ孔に螺合可能に形成されている。
なお、凹溝１９ｄの形状は「＋」型に限らず、例えば、マイナスドライバーの先端に係合可能な「−」型に形成されていても良い。あるいは、支持部１９ａの先端をボルトやナットの締緩に用いられる、ドライバー以外の工具の先端に係合可能な形状とすることもできる。また、台座部１９ｂは必ずしも円板でなくとも良く、矩形板であっても良い。
【００４０】
既に述べたように、ボルダリングユニット１ａでは、筐体４の底面の４か所に設けられたネジ孔にそれぞれ高さ調整具１９が螺入されていることから、水平方向に対して筐体３が傾いている場合でも、所望の高さ調整具１９を回動させて、各部分の高さを変化させることで、筐体３の傾きを治すことができる。そして、上述のとおり、高さ調整具１９はプラスドライバーの先端を凹溝１９ｄに係合させるようにして上方から回動させることが可能となっている。したがって、ボルダリングユニット１ａは、筐体３の姿勢を調整する等の作業を容易に行うことができるという効果を有している。
【００４１】
図７（ａ）に示すように、ボルト孔５ａを有するホールド５は、ホールド固定用ナット７ｃの雌ネジ部に螺合するホールド固定用ボルト２１ａをボルト孔５ａとボルト挿通孔７ａに連通させた状態でホールド固定用ナット７ｃに螺入するようにして、筐体３の側板２０ｃや扉４の外面に固定される構造となっている。
このように、ボルダリングユニット１ａにおいては、ホールド固定用ナット７ｃが外面に突出していないため、ホールド５が取り付けられていない箇所についても美観が損なわれず、しかも、ボルダリングを行う際にホールド固定用ナット７ｃが邪魔にならない。したがって、ボルダリングユニット１ａによれば、安全にボルダリングを楽しむことができる。また、ボルダリングユニット１ａは、筐体３や扉４に対して、外側からホールド５を簡単に取り付けることができるという効果を有している。
【００４２】
２つのボルダリングユニット１ａ，１ａが互いのボルト挿通孔７ｂ，７ｂの中心軸が一致するように側板２０ｃ，２０ｃの外面同士を接触させた状態で設置されている場合、図７（ｂ）に示すように、パネル連結用ナット７ｄの雌ネジ部に螺合するパネル連結用ボルト２１ｂをボルト挿通孔７ｂ，７ｂに連通させた状態でパネル連結用ナット７ｄを締め付けると、ボルダリングユニット１ａ，１ａは筐体３の一方の側板２０ｃを互いに接触させた状態で連結される。
【００４３】
次に、ボルダリングユニット１ａの変形例について図８を用いて説明する。
図８（ａ）及び図８（ｂ）は図１に示したボルダリングユニット１ａの変形例を示した外観斜視図である。なお、図１及び図３乃至図５に示した構成要素については同一の符号を付して、その説明を省略する。
図８（ａ）に示すように、ボルダリングユニット１ｂは、ボルダリングユニット１ａにおいて、扉４の代わりに、前板２０ｅが筐体３の前面に取り付けられたことを特徴とする。
また、図８（ｂ）に示すように、ボルダリングユニット１ｃは、ボルダリングユニット１ｂにおいて、筐体３を直方体状とする代わりに、底面の面積よりも天面の面積が狭くなるように、前面を傾斜させるとともに、前面や背面の横幅を側面の横幅よりも短くして、側板２０ｃ，２０ｃの代わりに平面視台形をなす側板２０ｆ，２０ｆと平面視矩形状をなす側板２０ｇ，２０ｇを用いた構造となっている。
【００４４】
図９は本発明のボルダリングユニットが使用される状態を示した斜視図である。
図９に示すように、ボルダリングユニット１ｄ，１ｅはボルダリングユニット１ａ，１ｂにおいて前面を傾斜させたものに相当し、ボルダリングユニット１ｆはボルダリングユニット１ｂにおいて天面と底面を５角形にしたものに相当する。また、ボルダリングユニット１ｇは、ボルダリングユニット１ａを横に倒した状態で側面に開口部を設けるとともに滑り台２３を取り付けたものである。なお、ボルダリングユニット１ａ〜１ｇは、図７（ｂ）を用いて説明したようにパネル連結用ボルト２１ｂとパネル連結用ナット７ｄを用いて側面同士が互いに連結されている。
このように、側面同士が互いに連結されたボルダリングユニット１ａ〜１ｇにおいては、それぞれを単独で設置する場合に比べて、設置状態の安定性が格段に向上する。この場合、屋内施設２４において、壁面２５や床面２６に対して、ボルダリングユニット１ａ〜１ｇを固定するための加工を施す必要がないため、設置後においてもそれらの配置を容易に変更することが可能である。
したがって、本発明のボルダリングユニットは、イベント等で屋内施設内に一時的にボルダリングウォールを構築する必要がある場合などに特に有効である。
【００４５】
なお、本発明のボルダリングユニットは、本実施例において示した構造に限定されるものではない。例えば、フレーム２は金属製に限らず、例えば、木製やプラスチック製であっても良い。また、筐体３や扉４を構成するパネルも木製に限らず、例えば、金属製やプラスチック製とすることもできる。
さらに、ボルダリングユニット１ａでは、筐体３の底面を構成する横桟１７ｂ，１７ｄの両端にそれぞれ設けられたネジ孔に高さ調整具１９が螺入された構造となっているが、ネジ孔を設ける箇所やネジ孔の数は本実施例に示した場合に限定されるものではなく、適宜変更可能である。
また、ホールド５が筐体３と扉４のいずれか一方に対して取り付けられる構造とすることもできる。
【産業上の利用可能性】
【００４６】
本発明のボルダリングユニットは、屋内施設に限らず、屋外にボルダリングウォールを構築する場合にも適用可能である。
【符号の説明】
【００４７】
１ａ〜１ｇ…ボルダリングユニット  ２…フレーム  ２ａ…側枠部  ３…筐体  ３ａ…開口部  ４…扉  ４ａ，４ｂ…端部  ５…ホールド  ５ａ…ボルト孔  ６…蝶番  ７ａ，７ｂ…ボルト挿通孔  ７ｃ…ホールド固定用ナット  ７ｄ…パネル連結用ナット  ８…レバーハンドル  ８ａ…ハンドル軸  ９…ロック機構  １０…支持金具  １１…ロッド  １２…ラッチ  １３…ケース  １３ａ…開口部  １４…爪板  １４ａ…先端  １５ａ，１５ｂ…縦枠材  １６ａ，１６ｂ…横枠材  １７ａ〜１７ｆ…横桟  １７ｇ…凹部  １８ａ〜１８ｃ…縦桟  １８ｄ…凹部  １９…高さ調整具  １９ａ…支持部  １９ｂ…台座部  １９ｃ…雄ネジ  １９ｄ…凹溝  ２０ａ…前板  ２０ｂ…背板  ２０ｃ…側板  ２０ｄ…天板  ２０ｅ…前板  ２１ａ…ホールド固定用ボルト  ２１ｂ…パネル連結用ボルト  ２２ａ，２２ｂ…受け具  ２３…滑り台  ２４…屋内施設  ２５…壁面  ２６…床面  
【図１】
2019187813.tif 000003
【図２】
2019187813.tif 000004
【図３】
2019187813.tif 000005
【図４】
2019187813.tif 000006
【図５】
2019187813.tif 000007
【図６】
2019187813.tif 000008
【図７】
2019187813.tif 000009
【図８】
2019187813.tif 000010
【図９】
2019187813.tif 000011